(57)【特許請求の範囲】
【請求項１】
１台のコンピュータまたはデータ通信によって互いに接続された複数台のコンピュータによって実現される工程管理システムであって、
入出力手段によって作業の実施計画が入力されこの作業間の前後関係が編集される工程編集部と、この工程編集部において編集された作業工程に対して機器番号、作業種類及び作業期間を含む属性が入出力手段によって入力される工程属性編集部と、前記工程編集部及び前記工程属性編集部において編集された作業期間及びこの作業間の前後関係の条件に基づいてＰＥＲＴ手法を用いて前記作業の実施時期を算出すると共に解析する時間解析部と、この時間解析部で解析された情報に基づき前記作業工程が図形的に時系列に従って画面に表示する工程表示部と、前記時間解析部で解析された数値情報を前記作業工程の時間軸と同じ時間軸上に画面に表示するグラフ表示部と、を有する工程管理手段と、
入出力手段によって工事対象機器が前記機器名称又は機器番号を用いて登録される工事対象機器登録部と、この工事対象機器登録部で登録された工事対象機器を工事する際に弁の閉動作及び電源遮断を含む隔離を行うべき隔離箇所及び実施時期を入出力手段によって指定する隔離箇所指定部と、この隔離を行う予定時期及び実績時期を入出力手段によって入力し又は変更する実績・計画入力部と、前記隔離箇所指定部で指定された隔離箇所に係る情報及び前記実績・計画入力部で入力された隔離時期に係る情報に基づいて前記隔離箇所の調整ならびに統合を入出力手段によって行う隔離箇所調整部と、この隔離箇所調整部で調整された隔離箇所に係る情報に基づいて時間軸に沿って隔離状態を画面に表示する隔離箇所表示部と、を有する隔離管理手段と、
前記時間解析部において算出された前記作業工程における特定の時間毎に、前記隔離箇所調整部が有する前記工事対象機器及び隔離箇所に係る情報と前記工程属性編集部が有する隔離作業を行う前記工事対象機器及び隔離箇所に係る情報とを照合して両情報の紐付けを行う照合部と、この照合部において照合された特定の時間毎の隔離箇所機器名および隔離状態を前記工程属性編集部に転送し、前記時間解析部で解析された特定の時間毎の隔離を行う予定時期又は実績時期に係る情報を前記隔離箇所調整部に転送する転送部と、を有する付帯手段と、を備え、
前記隔離箇所表示部は、特定の時間毎に前記照合部で紐付けされた隔離作業に係る複数の工事対象機器および隔離状態をまとめて画面に表示することを特徴とする工程管理システム。
【発明の詳細な説明】
【技術分野】
【０００１】
本発明は、工程管理手法に係り、特に隔離管理を行う隔離管理機能を有する工程管理システムに関する。
【背景技術】
【０００２】
一般に、原子力発電プラントのような大型プラントの保守作業においては、工程管理システム及び隔離管理システムが独立に存在し機能していることが知られている（例えば、特許文献１参照）。
【０００３】
この原子力発電プラントにおける工程管理システム及び隔離管理システムについて以下に説明する。原子力発電プラントでは、安全な発電をするために定期的に保守作業を行っている。この保守作業は、機器の検査、補修、劣化部品の取換え等、多方面かつ膨大な保守作業項目（一保守作業項目は、一つの保守目的のため行われる互いに密接に関連する一連の保守作業をいう。）に関連する保守作業が行われている。また通常は、これらの保守作業は、プラントを停止させている一定期間内にすべて完了させる必要があるために、複数の保守作業が錯綜して行われる。さらに、各保守作業は、一定の順序で行われる必要があり、すなわち、一つの保守作業の前に他の保守作業が完了している必要があり、かつ、作業を開始する前は、安全確保等のために一定の準備が完了していなければならない。
【０００４】
上述の事情の下で、原子力発電プラント等のプラントの保守作業を行うには、予め保守作業計画を立て、定期検査期間中は実際に行われている保守作業の進捗状態を記録管理し、一つ一つの保守作業が安全かつ滞りなく行われるように工程管理をしなければならない。このため、従来から計算機を使用したプラントの工程管理システムが使用されていた。
【０００５】
ここで、従来の工程管理手段及び隔離管理手段について、図１２及び図１３を用いて説明する。図１２は、従来の工程管理手段の構成を示す構成図であり、図１３は、従来の隔離管理手段の構成を示す構成図である。
【０００６】
図１２に示すように、従来の工程管理システム３１は、工程編集部３２と、工程属性編集部３３と、時間解析部３４と、工程表示部３５と、グラフ表示部３６とを有している。この工程編集部３２おいては、保守作業の実施期間や作業間の前後関係が入力される。マウス等のポインティングデバイスを用いて図的に工程を作成する形式のものと、数値（記号）情報を用いて工程を作成するものとがある。工程属性編集部３３においては、保守作業の作業名称、作業担当企業名称、電力会社の監督部署名称又は実績・計画投入人工数等の資源情報等の工程属性情報が編集される。
【０００７】
工程表示部３５においては、上記工程編集部３２や工程属性編集部３３で編集・入力された情報をそのまま又は加工して表示する手段である。グラフ表示部３６においては、上記工程属性編集手段３３で編集された資源情報を工程全体又はその部分において時間単位毎に加算等の演算が行われてグラフ形式で表示される手段である。
【０００８】
また、原子力発電プラントでは、協力企業が工事要領書等の図書を作成し、その中で、システムの隔離の内容とタイミングを記載している。このシステムの隔離の内容とタイミングに基づき、上述の電力会社社員が機器単位で隔離の申請を行っている。この申請された隔離の書類は、電力会社の担当部門に集められ、一括して隔離可能なものは統合する等の調整が行われる。最終的には図面に隔離箇所の塗り潰しを行なって、問題が存在しないことを確認する。一般的な隔離管理システムは、工事対象の機器を指定すると、その工事に必要な隔離箇所の候補が過去の実績等から抽出される。この抽出された隔離箇所の候補からの絞込みや隔離箇所の統合は図面、工程等を参照して、電力会社の担当部門が実施している。
【０００９】
次に、隔離管理システムについて、図１３を用いて説明する。
【００１０】
図１３に示すように、従来の工程管理システム３７は、工事対象機器登録部３８と、隔離箇所指定部３９と、実績・計画入力部４０と、隔離箇所表示部４１とを有する。この工事対象機器登録部３８においては、機器名称や機器番号を使用して指定する、又は画面上の図面を使って機器シンボルを選択するかのいずれかの方法により、工事対象の機器を選択している。隔離箇所指定部３９においては、上記工事対象機器登録部３８において登録された工事対象機器を工事するに際して、弁の閉作動や電源遮断等の隔離を行うべき隔離箇所及び実施時期が指定される。このときに電源遮断等の隔離箇所の候補を抽出するシステムも存在する。上記実績・計画入力部４０においては、電源遮断等の隔離を行う予定時期及び実績時期が入力又は変更される。隔離箇所表示部４１においては、上記工事対象機器登録部３８、隔離箇所指定部３９及び実績・計画入力部４０で入力された情報をそのまま又は加工して表示する手段である。
【特許文献１】特開平９−６４２８号公報
【発明の開示】
【発明が解決しようとする課題】
【００１１】
上述した従来の工程管理システム及び隔離管理システムにおいては、工事管理システムと離隔管理システムとが独立に存在し、工程が変更されると、隔離計画が自動的に変更される等の連携は行われていない。
【００１２】
例えば、原子力発電プラントにおける工程管理システム及び隔離管理システムにおいては、工事を施工するためには対象となる機器の隔離を行なって、この機器を分解点検できる状況に事前準備をする必要がある。この機器の隔離作業が大量に及ぶと、作業同士が錯綜し混乱を招く恐れがある。これを回避するために、機器等の隔離箇所を統合しライン全体を隔離する等の方法により、隔離作業を実質的に減らしている。
【００１３】
しかし、工事が遅延し一部の対象機器等の隔離と他の対象機器等の作動試験とが同じタイミングで実施されることが要求され、複雑な隔離が求められるときがある。この場合には、対象機器等及び周辺機器等について図面上において塗り潰しを行なって対象機器等の隔離等に誤りがないことを確認する必要があり、この確認作業に多くの時間と従業員の多大な労力を要している点に課題があった。
【００１４】
また、工程管理システム３１と隔離管理システム３７とが連携していないために、工程管理システム３１上において生じた作業スケジュールの変更により、隔離管理システム３７上で作成した隔離計画が大幅に変更せざるをえず、従業員が図面上において隔離の箇所の塗り潰しを再度実施する等のやり直し作業もあり、最悪の場合は、スケジュール変更の連絡遅れや連絡忘れが生じる可能性がある点等に課題があった。
【００１５】
本発明は上記課題を解決するためになされたもので、工程管理システムが有するデータベースと隔離管理システムが有するデータベースとをリンクさせ、工程管理と隔離管理を一元的に行なうことのできる隔離管理機能を有する工程管理システムを提供することを目的とする。
【課題を解決するための手段】
【００１６】
上記目的を達成するため、本発明の工程管理システムにおいては、１台のコンピュータまたはデータ通信によって互いに接続された複数台のコンピュータによって実現される工程管理システムであって、入出力手段によって作業の実施計画が入力されこの作業間の前後関係が編集される工程編集部と、この工程編集部において編集された作業工程に対して機器番号、作業種類及び作業期間を含む属性が入出力手段によって入力される工程属性編集部と、前記工程編集部及び前記工程属性編集部において編集された作業期間及びこの作業間の前後関係の条件に基づいてＰＥＲＴ手法を用いて前記作業の実施時期を算出すると共に解析する時間解析部と、この時間解析部で解析された情報に基づき前記作業工程が図形的に時系列に従って画面に表示する工程表示部と、前記時間解析部で解析された数値情報を前記作業工程の時間軸と同じ時間軸上に画面に表示するグラフ表示部と、を有する工程管理手段と、入出力手段によって工事対象機器が前記機器名称又は機器番号を用いて登録される工事対象機器登録部と、この工事対象機器登録部で登録された工事対象機器を工事する際に弁の閉動作及び電源遮断を含む隔離を行うべき隔離箇所及び実施時期を入出力手段によって指定する隔離箇所指定部と、この隔離を行う予定時期及び実績時期を入出力手段によって入力し又は変更する実績・計画入力部と、前記隔離箇所指定部で指定された隔離箇所に係る情報及び前記実績・計画入力部で入力された隔離時期に係る情報に基づいて前記隔離箇所の調整ならびに統合を入出力手段によって行う隔離箇所調整部と、この隔離箇所調整部で調整された隔離箇所に係る情報に基づいて時間軸に沿って隔離状態を画面に表示する隔離箇所表示部と、を有する隔離管理手段と、前記時間解析部において算出された前記作業工程における特定の時間毎に、前記隔離箇所調整部が有する前記工事対象機器及び隔離箇所に係る情報と前記工程属性編集部が有する隔離作業を行う前記工事対象機器及び隔離箇所に係る情報とを照合して両情報の紐付けを行う照合部と、この照合部において照合された特定の時間毎の隔離箇所機器名および隔離状態を前記工程属性編集部に転送し、前記時間解析部で解析された特定の時間毎の隔離を行う予定時期又は実績時期に係る情報を前記隔離箇所調整部に転送する転送部と、を有する付帯手段と、を備え、前記隔離箇所表示部は、特定の時間毎に前記照合部で紐付けされた隔離作業に係る複数の工事対象機器および隔離状態をまとめて画面に表示することを特徴とするものである。
【発明の効果】
【００１８】
本発明の工程管理システムによれば、工程管理手段のデータベースと隔離管理手段が連携されているために、隔離の申請漏れ、作業工程の記載漏れを発見し易くなり、結果として作業安全やプラントの安全運用に大きく寄与することができる。
【発明を実施するための最良の形態】
【００１９】
以下、本発明に係る隔離管理機能を有する工程管理システム及びその方法の実施の形態について、図面を参照して説明する。ここで、同一又は類似の部分には共通の符号を付すことにより、重複説明を省略する。
【００２０】
図１は、本発明の実施の形態の隔離管理機能を有する工程管理システム１の構成を示す構成図である。
【００２１】
まず、隔離管理機能を有する工程管理システム１の構成について、図１を用いて説明する。
【００２２】
本図に示すように、隔離管理機能を有する工程管理システム１は、工程管理手段２と、隔離管理手段３と、付帯手段４とを有している。なお、ここで「手段」や「システム」はコンピュータ処理装置、その入出力手段、記憶手段を総称し、物理的に一つのコンピュータである場合の他に、分散したコンピュータがデータ通信によって接続されている場合を含む。
【００２３】
この工程管理手段２は、発電所で行われる工程計画や作業の実績を入力、表示及び保存する手段で、工程編集部５と、工程属性編集部６と、時間解析部７と、工程表示部８と、グラフ表示部９とを有している。
【００２４】
工程編集部５においては、作業を時系列に従って入力し編集することができるように構成され、併せて作業間の前後関係を示す紐付けも行なえるように構成されている。作業の開始から終了までを四角形等のシンボルで囲む。作業間の前後関係を示す紐付けは、先行作業のシンボルを選択した後に、後続作業のシンボルを同様に選択することにより行なわれる。
【００２５】
工程属性編集部６においては、個々の工程に資源情報や備考情報を入力、編集することができるように構成されている。上記作業のシンボルを開くことにより、資源情報や備考情報を入力、変更及び参照が可能となる。資源の限界量も併せて登録可能としている。
【００２６】
時間解析部７においては、メニュー選択等によって実施される。手法としてはＰＥＲＴ（Ｐｒｏｇｒａｍ  Ｅｖａｌｕａｔｉｏｎ  ａｎｄ  Ｒｅｖｉｅｗ  Ｔｅｃｈｎｉｑｕｅ）手法を基本的に用いている。このＰＥＲＴ手法は、工程計画・管理手法の1つで、仕事（プロジェクト）全体を構成する各作業の相互依存関係をにすることにより、各作業の日程計画を作成すると共に仕事全体の所要時間を算出し、さらにを明らかにして所要時間の短縮を図る手法のことである。概略の手順は以下のとおりである。
１．各工程の作業（タスク）を明確にする。
２．各工程が完了するのに必要な所要時間を見積もる。
３．工程の実行順序・工程同士の前後関係を明確にする。
４．各工程をつなぎ合わせ、すなわち紐付けを行い、ネットワーク図を作成する（各工程の開始日、終了日が決定される）。
５．仕事全体の所要時間を算出して、完了時期を明らかにする。
６．クリティカルパスを対象として、所要時間短縮を検討する。
【００２７】
上記工程表示部８について、図２を用いて説明する。図２は、図１の工程表示部８及びグラフ表示部９の画面の一具体例を示す工程表である。図２に示すように、工程表示部８においては、工程を時系列に従って表示することができるように構成され、上記工程編集部５や工程属性編集部６も同一画面上で操作が行なわれる。
【００２８】
グラフ表示部９は、図２に示すように、時系列にしたがって表示された工程と同期（時間的に一致）させて、個々の工程に入力された資源情報を計算してグラフに表示することができるように構成されている。このグラフ表示部９においては、作業に割り振られた電力会社の複数人の担当者を資源と見做し、その時間当たりの量を表示している。また、限界量を超えたかどうかの判定が画面上で可能なようになっている。
【００２９】
次に、隔離管理手段３について説明する。この隔離管理手段３は、工事対象機器登録部１０と、隔離箇所指定部１１と、実績・計画入力部１２と、隔離箇所調整部１３と、隔離箇所表示部１４を有している。
【００３０】
工事対象機器登録部１０においては、工事対象機器が機器名称又は機器番号を用いて指定されるか、画面上の図面を用いて機器シンボルを選択するかの方法により、工事対象機器が選択できるようになっている。
【００３１】
隔離箇所指定部１１においては、上記工事対象機器登録部１０で登録した工事対象機器を工事するに際に、弁の閉動作や電源の遮断等の隔離を行うべき隔離箇所及び実施時期（実施予想時期を含む。）が指定される。
【００３２】
実績・計画入力部１２においては、隔離を行う予定時期及び実績時期が入力され又は変更される。
【００３３】
隔離箇所調整部１３においては、隔離箇所の変更が必要なときには、この隔離箇所の変更が行えるようになっている。例えば、工事対象機器が追加されたり、隔離箇所の追加等が発生したときに、隔離箇所の範囲を拡大する必要が生じる可能性がある。このような場合に、隔離箇所調整部１３において隔離箇所の調整が行われる。
【００３４】
隔離箇所表示部１４について、図３を用いて説明する。図３は、図１の隔離箇所表示部１４の画面の一具体例を示す説明図である。図３に示すように、隔離箇所表示部１４においては、上記工事対象機器登録部１０、隔離箇所指定部１１、実績・計画入力部１２及び隔離箇所調整部１３において入力された情報に基づいて、時系列に従って参照ができるようになっている。
【００３５】
次に、付帯手段４について説明する。この付帯手段４は、照合部１５と、転送部１６とを有している。
【００３６】
照合部１５においては、上記隔離箇所調整部１３が有する工事対象機器及び隔離箇所に係る情報と、上記工程属性編集部６が有する工程上の工事対象機器及び隔離箇所に係る情報とが照合されて、両情報の紐付けが行われる。具体的には、両者のデータベースを接続するためのキーコードが設定されている。
【００３７】
転送部１６においては、この照合部１５において照合された結果に基づいて上記隔離箇所調整部１３の隔離を行う予定時期又は実績時期に係る情報が上記工程属性編集部６に転送され、さらに、上記時間解析部７で解析され算出された隔離を行う予定時期又は実績時期に係る情報が上記隔離箇所調整部１３に転送される。ただし、運用上、工程管理手段２の側にのみ隔離の予定時間及び実績時間が入力されるときには、隔離を行う予定時期又は実績時期に係る情報が時間解析部７から隔離箇所調整部１３へ転送されるだけとなる。
【００３８】
このように構成された本実施の形態における通常時の動作について、図４乃至図７を用いて説明する。図４は、図１の隔離箇所の一具体例を示す工程表であり、図５は、図１の工程編集部５の入力後のデータを示す表であり、図６は、図１の作業間の前後関係を示す紐付けデータを示す表であり、図７は、図１の工程属性編集部６の入力後のデータを示す表である。
【００３９】
図４に示すように、上記工程編集部５において各工程が図的に入力される。この「図的に入力」とは、例えば、コンピュータ画面上において、作業が線（「作業バー」又は「工程バー」）で引いて表示されるようにすることである。また、この入力されたデータは、図５に示すように、作業名称、開始日時及び終了日時がデータの形に表示することができる。
【００４０】
各作業間の前後関係を示す紐付けは、先行する「作業バー」をポインティングデバイスにおいて選択した後に、引き続き、後続する「作業バー」を選択することによって行われる。この紐付けが行なわれと、図６に示すように、先行作業バーコードと後続作業バーコードのデータとして表示される。
【００４１】
そして、個々の情報（「作業バー」又は「工程バー」）に対して、上記工程属性編集部６により備考情報や資源情報等の属性が追加入力されると、この入力されたデータは、図７に示すような表の形式で格納される。なお、資源情報としては、投入人工や使用クレーン等の情報が入力され、資源情報に「レベル−１．０」と記載した場合は、個々のバーと同じ期間において該当の資源を一様に１．０倍使用することを意味している。この資源情報については、初期設定において予め名称と限界量を登録しておく。備考情報しては、隔離番号又は隔離作業であることを示す記号が入力される。
【００４２】
次に、上述のように入力されたデータに基づき時間解析部７において実施する時間解析について、図８を用いて説明する。図８は、図１の時間解析部７の時間解析結果を示す説明図で、（ａ）はその解析前の一具体例を示す工程表、（ｂ）はその解析後の一具体例を示す工程表である。
【００４３】
この時間解析は、ＰＥＲＴ手法を用いて行なう。ＰＥＲＴ手法とは、上述のように、各作業の日程計画を作成すると共に仕事全体の所要時間を算出し、さらにを明らかにして所要時間の短縮を図る手法のことである。すなわち、基点となる作業から最後の作業に至るまで作業間の前後関係の紐付けが事前に行なわれ、この作業の開始から終了までの作業時間と、作業間の前後関係を示す紐付けに基づき、すべての作業が時間的に前倒しするというものである。図８（ａ）の解析前の工程から、図８（ｂ）の解析後の工程に示すような処理が行なわれる。この結果に対して、今度は資源に着目し、作業の重複等で資源の限界量を超えているときには、どちらかを時間的に後ろ倒しにして、資源の限界量以内に抑制される。ただし、過去の実績が入力された作業については変更できないために、前倒し又は後ろ倒しの対象から外すようにしておく。
【００４４】
なお、上記作業間の前後関係を示す紐付けを行なう前に時間解析や山崩し可能判断を行なうと工程が変更されてしまうので、上記時間解析や山崩し可能判断を実行するためのメニューを準備し、このメニューが選択されない限り時間解析や山崩し可能判断を実施できないようにしておく。
【００４５】
次に、上述のように入力されたデータに基づき工程表示部８において工程が表示される。この工程の表示は図２とまったく同じように表示させる場合もあるが、ここでは、機器番号や会社名といった備考情報を工程のバーに付帯させて表示させることも可能である。入力画面と同じ期間を表示したいとは限らないので、一般的なＯＳの機能と同様に拡大縮小を可能とする。表示期間の移動は、スクロールバーを用いて行っている。
【００４６】
グラフ表示部９においては、上記工程表示部８の画面の上部又は下部に配置させて、時間軸の表示期間及びスケールは工程表示部８のものと同一のものを用いる。グラフの表示形式は、資源毎（投入人工、使用クレーン別）に表示することも、合計して表示することも可能としている。
【００４７】
工事対象機器登録部１０について説明する。配管計装線図上の配管、バルブ、ポンプ、モーターや計装機器等が記載された図面を予め準備しておく。工事対象機器登録部１０においては、この事前準備された図面上のバルブ等の機器を画面上でボタン化し、この機器を選択することにより、容易に工事対象となる機器の名称又は機器番号が登録（申請）される。
【００４８】
隔離箇所指定部１１について、図９を用いて説明する。図９は、図１の隔離箇所指定部１１の入力後のデータを示す表である。隔離箇所指定部１１においては、上記工事対象機器登録部１０と同様の仕組みにより、ボタン化された機器を選択することによって隔離箇所が指定され、この隔離する期間（隔離作業と隔離解除作業とに分けて、それぞれの開始、終了の日時）も合わせて入力される。この場合に、工事対象機器を判別できるように色分け又はハイライトを含む手法により識別できるようにしておく。図９に示すように、上記データは、隔離番号、工事対象機器名（機器番号）、隔離箇所の機器名（機器番号）、隔離作業開始日時、隔離作業終了日時、隔離解除作業開始日時、隔離解除作業終了日時として表示される。なお、工事対象機器が決定されると、ほぼ隔離箇所が決められるため、過去の隔離箇所の実績を蓄積し、候補として表示可能としておく。
【００４９】
隔離箇所調整部１３について、図１０を用いて説明する。図１０は、図１の隔離箇所調整部１３における隔離の統合を示す説明図で、（ａ）はその統合前の一具体例を示す構成図、（ｂ）はその統合後の一具体例を示す構成図であり、図１１は、図１の隔離箇所調整部１３の変更入力後のデータを示す表である。
【００５０】
この隔離箇所調整部１３は、隔離申請者とは別に電力会社の担当者が、複数の隔離を統合して隔離計画を組み直すために使用される。
【００５１】
例えば、図１０（ａ）においては、ポンプＡ及びポンプＢが同時期に工事を実施し、ポンプＡの隔離として弁Ａ、Ｂの全閉動作、ポンプＢの隔離として弁Ｃ、Ｄの全閉動作が申請されている統合前の状態を想定している。図１０（ｂ）に示すように、統合後は、ポンプＡ、Ｂの隔離として弁Ｅ、Ｆの全閉動作を行なうことによって、隔離が可能となる。この場合には、データは図１１に示すように変更され、瞬時に図１に示す隔離箇所表示部１４に反映される。
【００５２】
この隔離箇所表示部１４においては、これまで登録された工事対象機器及び隔離箇所が特定の時間毎に表示される。隔離箇所表示部１４に表示させる工事対象機器と隔離箇所を抽出する条件は下記のとおりである。
【００５３】
隔離箇所表示部１４で時間Ｘの表示をする場合には、下記に含まれる工事対象機器と隔離箇所が表示対象となる。
【００５４】
隔離作業開始日時  ＜  日時Ｘ  ＜  隔離解除作業終了日時
また、工事対象機器と隔離箇所は判別可能なように色分けする必要がある。
【００５５】
さらに、隔離及び隔離解除作業中の工事対象機器と隔離箇所は、特に注意を要するために、ハイライト又は点滅等による注意をひく表示とする必要がある。
【００５６】
この場合の抽出条件は下記のとおりである。
【００５７】
隔離作業開始日時  ＜  日時Ｘ  ＜  隔離作業終了日時
又は
隔離解除作業開始日時  ＜  日時Ｘ  ＜  隔離解除作業終了日時
上記照合部１５においては、隔離管理手段３において管理されている隔離情報と工程管理手段２で管理されている隔離作業に係る情報とを比較して照合が行われる。
【００５８】
具体的には、上記隔離箇所調整部１３からの図１１に該当する情報と、工程属性編集部６からの図７に該当する情報が抽出されて、下記に示すアルゴリズムに従って照合が行われる。
【００５９】
図１１に示す隔離管理手段３に係る工事対象機器名と図７に示す工程管理手段２に係る機器名の欄を照合し、同一の機器が表示されているときは、機器毎に抽出が行われる。ただし、工程管理手段２の側は、隔離作業の欄に「隔離作業」、「隔離解除作業」又は「準隔離作業」と記載されているもののみを対象とする。
【００６０】
抽出した機器毎に図１１に示す隔離管理手段３に係る「隔離箇所機器名」＋「隔離（解除）状態」と図７に示す工程管理手段２に係る作業名称とを比較し、同一のときには、図１１に示す隔離管理手段３の隔離番号を図７に示す工程管理手段２の隔離作業の欄にコピーする。
【００６１】
隔離解除の作業の場合には、隔離番号に隔離解除を示す記号（例えば“Ｅ”）を付けて、区別可能とする。
【００６２】
上記の処理にも拘らず照合の完了しないものについては、手動にて照合を行ない、最終的に図１１に示す隔離管理手段３の隔離番号を図７に示す工程管理手段２の隔離作業の欄に自動的にコピーするようにしておく。
【００６３】
上記転送部１６においては、隔離管理手段３の隔離番号の欄及び工程管理手段２の隔離作業の欄における隔離番号をキーとして情報が転送される。
【００６４】
このように構成された本実施の形態によれば、隔離に係わる範囲において、工程管理手段２のデータベースと隔離管理手段３のデータベースとを連携することが可能となり、隔離管理手段３においては、複数の隔離状態をまとめて参照することが可能となる。
【００６５】
かくして、工程管理手段２のデータベース及び隔離管理手段３が連携されているために、隔離の申請漏れ、作業工程の記載漏れを発見し易くなり、この結果、作業安全やプラントの安全運用に大きく寄与することができる。さらに、複数の隔離状態を一度に参照できるために、申請された隔離の干渉や不整合も発見可能となると共に、作動試験等と上記隔離との干渉も確認することができる。
【００６６】
以上本発明の実施の形態について説明してきたが、本発明は、上述したような各実施の形態に何ら限定されるものではなく、各実施の形態の構成を組み合わせて、本発明の主旨を逸脱しない範囲で種々変形して実施することができる。
【図面の簡単な説明】
【００６７】
【図１】本発明の実施の形態の隔離管理機能を有する工程管理システムの構成を示す構成図。
【図２】図１の工程表示部及びグラフ表示部の画面の一具体例を示す工程表。
【図３】図１の隔離箇所表示部の画面の一具体例を示す説明図。
【図４】図１の隔離箇所の一具体例を示す工程表。
【図５】図１の工程編集部の入力後のデータを示す表。
【図６】図１の作業の前後関係を示す紐付けデータを示す表。
【図７】図１の工程属性編集部の入力後のデータを示す表。
【図８】図１の時間解析部の時間解析結果を示す説明図で、（ａ）はその解析前の一具体例を示す工程表、（ｂ）はその解析後の一具体例を示す工程表。
【図９】図１の隔離箇所指定部の入力後のデータを示す表。
【図１０】図１の隔離箇所調整部における隔離の統合を示す説明図で、（ａ）はその統合前の一具体例を示す構成図、（ｂ）はその統合後の一具体例を示す構成図。
【図１１】図１の隔離箇所調整部の変更入力後のデータを示す表。
【図１２】従来の工程管理手段の構成を示す構成図。
【図１３】従来の隔離管理手段の構成を示す構成図。
【符号の説明】
【００６８】
１…隔離管理機能を有する工程管理システム、２…工程管理手段、３…隔離管理手段、４…付帯手段、５…工程編集部、６…工程属性編集部、７…時間解析部、８…工程表示部、９…グラフ表示部、１０…工事対象機器登録部、１１…隔離箇所指定部、１２…実績・計画入力部、１３…隔離箇所調整部、１４…隔離箇所表示部、１５…照合部、１６…転送部、３１…工程管理システム、３２…工程編集部、３３…工程属性編集部、３４…時間解析部、３５…工程表示部、３６…グラフ表示部、３７…隔離管理システム、３８…工事対象機器登録部、３９…隔離箇所指定部、４０…実績・計画入力部、４１…隔離箇所表示部。
【図１】
0005268400.tif 000002
【図２】
0005268400.tif 000003
【図３】
0005268400.tif 000004
【図４】
0005268400.tif 000005
【図５】
0005268400.tif 000006
【図６】
0005268400.tif 000007
【図７】
0005268400.tif 000008
【図８】
0005268400.tif 000009
【図９】
0005268400.tif 000010
【図１０】
0005268400.tif 000011
【図１１】
0005268400.tif 000012
【図１２】
0005268400.tif 000013
【図１３】
0005268400.tif 000014